(57)【要約】      （修正有）【課題】容器部と蓋部を連設して一枚のシート状とし、容器部には側板とその両側に折り目を介して折り返し部分からなる両側板部が、折り返し部分で前板及び後ろ板にそれぞれ折り目を介して固着されており、前板と後ろ板が起立すると側板も起立して容器を形成し、蓋部の覆い板にはマグネットが装着されている折りたたみ式眼鏡ケースでは、全面がフラットな直方体であったので、新たな形状を提供する。【解決手段】蓋部を従来の一枚板からなる蓋板ではなくて、これを２枚以上の複数の蓋板とすることで、２枚の場合は蓋部では断面三角形状であり眼鏡ケース全体としては断面５角形状、３枚とすれば断面でそれぞれ１つづつ角が増え、蓋板の幅を狭くして多数の蓋板を連設すると蓋部は断面円形、眼鏡ケース全体としては、ほぼカマボコ状とすることができる。【選択図】図６
0003142065.tif 000002
【実用新案登録請求の範囲】
【請求項１】
展開するとそれぞれ折り目を介して容器部となる前板、底板及び後ろ板と蓋部となる蓋板と覆い板とが連設されて長方形の１枚のシート本体となり、容器部の内側には、側板とその両側に折り目を介して折り返し部分からなる両側板部が、折り返し部分で前板及び後ろ板にそれぞれ折り目を介して固着されており、前板と後ろ板が起立すると側板も起立して容器を形成し、蓋部の覆い板にはマグネットが装着されている折りたたみ式眼鏡ケースにおいて、蓋部では複数の蓋板が折り目を介して連設されている折りたたみ式眼鏡ケース
【請求項２】
蓋部では２枚の蓋板が折り目を介して連接されている請求項１に記載されている折りたたみ式眼鏡ケース
【請求項３】
蓋部では、眼鏡ケースとしたときに、蓋部の横断面がほぼ円形状となるように複数の蓋板が折り目を介して連接されている請求項１に記載されている折りたたみ式眼鏡ケース
【考案の詳細な説明】
【技術分野】
【０００１】
本考案は、ほとんど一枚のシート状であって、これを折曲起立すると眼鏡ーケースとなる折りたたみ式眼鏡ケース、特に蓋部分で横断面が三角形状から多角形、さらに円形状にまでとすることのできる折りたたみ式眼鏡ケースに関する。
【背景技術】
【０００２】
本願出願人は、実用新案第３１３９８５８号において展開するとそれぞれ折り目を介して容器部となる前板、底板及び後ろ板と蓋部となる蓋板と覆い板とが連設されて長方形の１枚のシート本体となり、容器部の内側には、側板とその両側に折り目を介して折り返し部分からなる両側板部が、折り返し部分で前板及び後ろ板にそれぞれ折り目を介して固着されており、前板と後ろ板が起立すると側板も起立して容器を形成し、蓋部の覆い板にはマグネットが装着されている折りたたみ式眼鏡ケースを開示提供している。
【考案の開示】
【考案が解決しようとする課題】
【０００３】
しかしながら、当該登録実用新案に係る折りたたみ式眼鏡ケースでは、蓋部がフラットで全体として直方体形状のものに限られ、これもすっきりしていて、構造的には堅牢なものであるが、形状的に変化に乏しく、商品として需要者の嗜好にあわせた形状の眼鏡ケースが望まれるところである。
【課題を解決するための手段】
【０００４】
そこで、本考案は、蓋部を従来の一枚板からなる蓋板ではなくて、これを２枚以上の複数の蓋板とすることで、２枚の場合は蓋部では横断面三角形状であり眼鏡ケース全体としては断面５角形状、３枚以上で１枚づつ増やすとすれば横断面でそれぞれ１つづつ角が増え、各蓋板の幅を狭くして多数の蓋板を折り目を介して連設すると蓋部は横断面円形、眼鏡ケース全体としては、ほぼカマボコ状とすることができる。
【０００５】
すなわち、本考案の第１は、展開するとそれぞれ折り目を介して容器部となる前板、底板及び後ろ板と蓋部となる蓋板と覆い板とが連設されて長方形の１枚のシート本体となり、容器部の内側には、側板とその両側に折り目を介して折り返し部分からなる両側板部が、折り返し部分で前板及び後ろ板にそれぞれ折り目を介して固着されており、前板と後ろ板が起立すると側板も起立して容器を形成し、蓋部の覆い板にはマグネットが装着されている折りたたみ式眼鏡ケースにおいて、蓋部では複数の蓋板が折り目を介して連設されている折りたたみ式眼鏡ケースである。
【０００６】
本考案の第２は、蓋部では２枚の蓋板が折り目を介して連接されている本考案の第１に記載されている折りたたみ式眼鏡ケースである。
【０００７】
本考案の第３は、蓋部では、眼鏡ケースとしたときに、蓋部の横断面がほぼ円形状となるように複数の蓋板が折り目を介して連接されている本考案に第１に記載されている折りたたみ式眼鏡ケースである。
【考案の効果】
【０００８】
本考案によれば、眼鏡ケースとして使用しないときは一枚のシート状となり、これを容器部と蓋部とで二つ折りにして、物の間に挟んで立てかけても、引き出しに収納してもかさ張ることはなく、眼鏡ケースとして使用する際に折り目に沿って起立、折り曲げるだけで、堅牢な眼鏡ケースとして使用ができる。
さらに、種々の形状の眼鏡ケースをしかも安価に提供できるものである。
【考案を実施するための最良の形態】
【０００９】
表側には合皮レザー等、眼鏡ケースの表皮に相応しい素材で内側には眼鏡を傷つけないような、例えば、フロッキープリントによる植毛布からなる２枚の薄いシートの間に容器部となる前板、底板及び後ろ板と蓋部となる複数の幅の狭い板を並べて形成された蓋板と覆い板と順次折り目となる間隔をあけて並べて貼り合わせて長方形の１枚のシート本体とし、このシート本体と同様の組み合わせの２枚のシートの間に側板を挟んで接着すると共に、その両側には表側と同じ素材のシートからなる折り返し部を連設して、側板がシート本体の底板の両側で起立するように、折り返し部が前板及び後ろ板にそれぞれ固着されており、前板と後ろ板が起立すると側板も起立してカマボコ状の容器を形成し、覆い板にはマグネットが装着されている折りたたみ式眼鏡ケースである。
【実施例１】
【００１０】
以下添付図面に従って、実施例の折りたたみ式眼鏡ケースについて説明する。
図１から図３は、本考案に係る実施例１の眼鏡ケースを表すものである。
図１は、係る実施例１の眼鏡ケースを展開して１枚のシート状としていることを示す斜視図である。
シート本体Ａは蓋部Ｂと容器部Ｃとが折り目１ｂを介して連なっており、蓋部Ｂには覆い板１と２枚の板２１、２２で折り目を介２ａして形成された蓋板２とが折り目１ａを介して連なり、容器部Ｃには折り目１ｃ、２ｃを介して底板４を挟んで後ろ板３と前板５とが連なっており、後ろ板３は、折り目１ｂを介して蓋部の蓋板２に連なっている。
シート本体Ａは、例えば、表側となる合皮レザーに和紙を貼り合わせたシートと、内側となる表面が柔らかいフロッキープリントによる植毛布との２枚のシートの間にしっかりしたボール紙製の板をそれぞれ挟み込み、折り目分の間隔を空けて貼り合わせて覆い板１、蓋板２、後ろ板３、底板４及び前板５として１枚のシート状としている。
【００１１】
容器部Ｃの両側には、側板６と折り返し部７とが折り目１ｄ、２ｄを介して連なっている側板部があり、それぞれ折り返し部７が、前板５と後ろ板３に、また側板６は、底板４の両側にそれぞれ折り目を介して固着されている。
両側板部は、上辺が三角形状となっており、前板５及び後ろ板３をそれぞれ立ち上げると両側部は共に立ち上がり、前板５及び後ろ板３は、垂直に立ち上がると、両側板６も垂直に立ち上がり、蓋部分と上辺が隙間無く接して容器を形成する。
両側板部は、シート本体Ａと同様に、合皮レザーに和紙を貼り合わせたシートと植毛布の間にボール紙製の板を前板５として挟み込んで貼り合わせ、折り返し部７は、合皮レザーに和紙を貼り合わせたシートを貼り合わせただけとしている。
【００１２】
図２は、容器部Ｃの前板５及び後ろ板３を立ち上げて、蓋部Ｂの覆い板１と蓋板２もそれぞれの折り目を介して内側に折り曲げて眼鏡ケースとする途中の姿をあらわしているものである。
【００１３】
図３は、この完成された状態を示すものである。覆い板１には図１に示すようにその先端部分に横長のマグネット８が装着されており、前板５を薄い鉄製としたり、またはマグネットを装着することによって、磁力で蓋を固定して閉めることができるようになっている。
これによって、眼鏡を容器部Ｃに収納する眼鏡ケースとなる。
【実施例２】
【００１４】
図４から図６は、実施例２に係る折りたたみ式眼鏡ケースを表すものである。ここでは、蓋部の蓋板を幅の狭い複数の板をそれぞれ折り目を介して連設するものであり、眼鏡ケースとして組み立てると蓋部分が断面円形の全体としてカマボコ型の眼鏡ケースとなる。
図４は、係る実施例１の眼鏡ケースを展開して１枚のシート状としていることを示す斜視図である。
蓋部の蓋板の数が多くなっている以外に先の実施例１と同じ構成からなるものであり、各部には実施例１と同じ部分に同じ符号が付されている。
なお、容器部の側板６は、上辺が半円形状となっており、前板５及び後ろ板３をそれぞれ立ち上げると両側部は共に立ち上がり、前板５及び後ろ板３は、垂直に立ち上がると、両側板６も垂直に立ち上がり、蓋部分と上辺が隙間無く接して容器を形成する。  
【００１５】
図５は、容器部Ｃの前板５及び後ろ板３を立ち上げて、蓋部Ｂの覆い板１と蓋板２もそれぞれの折り目を介して内側に折り曲げて眼鏡ケースとする途中の姿をあらわしているものである。
【００１６】
図６は、この完成された状態を示すものである。覆い板１には図１に示すようにその先端部分に横長のマグネット８が装着されており、前板５を薄い鉄製としたり、またはマグネットを装着することによって、磁力で蓋を固定して閉めることができるようになっている。
これによって、眼鏡を容器部Ｃに収納する眼鏡ケースとなる。
【００１７】
実施例１（図１〜３）及び実施例２（図４〜６）は、蓋板を２枚とした場合と多数の蓋板とした場合とを表しているが、蓋板を３枚、４枚と段階的に増やすことによって、眼鏡ケースとして組み立てた場合には、蓋部の角が１つから２つ、３つと増えて、実施例２のように円形に近い形状を形成することができる。
【００１８】
眼鏡ケースとして使用をしないときは、図１の状態から折り目１ｂを介して２枚折りとすることで、コンパクトな薄板状の状態で物の間に挟んだり、引き出しの中に収納するなどすることができる。
【図面の簡単な説明】
【００１９】
【図１】本考案に係る実施例１の眼鏡ケースのシート状に展開した状態を示す斜視図である。
【図２】同じく同眼鏡ケースを展開した状態から折り曲げて眼鏡ケースとする状態を示す斜視図である。
【図３】同じく同眼鏡ケースとした状態を示す斜視図である。
【図４】本考案に係る実施例２の眼鏡ケースのシート状に展開した状態を示す斜視図である。
【図５】同じく同眼鏡ケースを展開した状態から折り曲げて眼鏡ケースとする状態を示す斜視図である。
【図６】同じく同眼鏡ケースとした状態を示す斜視図である。
【符号の説明】
【００２０】
Ａ・・・眼鏡ケース本体
Ｂ・・・蓋部
Ｃ・・・容器部
１・・・覆い板
２・・・蓋板
３・・・後ろ板
４・・・底板
５・・・前板
６・・・側板
７・・・折り返し部
１ａ、２ａ、３ａ、４ａ・・・折り目
１ｂ、２ｂ、３ｂ、４ｂ・・・折り目
１ｃ、２ｃ、３ｃ、４ｃ・・・折り目
８・・・マグネット
【図１】
0003142065.tif 000003
【図２】
0003142065.tif 000004
【図３】
0003142065.tif 000005
【図４】
0003142065.tif 000006
【図５】
0003142065.tif 000007
【図６】
0003142065.tif 000008